(57)【要約】      （修正有）【課題】レバーを引き上げることにより保護板を少し開いた状態とすることができ、レバーがその状態で保持される操作の簡単な保護板係止部材を提供する。【解決手段】被係止部４に係止するフック部２２及び該フック部２２の係脱を操作するレバー部２１を備える係止部材主体２をケース１内に回動自在に支承させた保護板係止部材であって、レバー部２１を引き上げたとき係止部材主体２を逆回動させてフック部２２の被係止部４への係止を解除してレバー部２１が引き上げられた状態を保持する保持機構部５を設け、さらに、レバー部２１が引き上げられた状態で被係止部４を押圧して保護板係止部材を取り付けた保護板を開くとともに、該保護板を閉じたときに被係止部４に当接して係止部材主体２を回動させて保持機構部５の保持を解除させる当接部２２ａを係止部材主体２に設ける。【選択図】図１
2005183809.tif 000002
【特許請求の範囲】
【請求項１】
被係止部に係止するフック部及び該フック部の係脱を操作するレバー部を備える係止部材主体をケース内に回動自在に支承させた保護板係止部材であって、レバー部を引き上げたとき係止部材主体を逆回動させてフック部の被係止部への係止を解除してレバー部が引き上げられた状態を保持する保持機構部を設け、さらに、レバー部が引き上げられた状態で被係止部を押圧して保護板係止部材を取り付けた保護板を開くとともに、該保護板を閉じたときに被係止部に当接して係止部材主体を回動させて保持機構部の保持を解除させる当接部を係止部材主体に設けたことを特徴とする保護板係止部材。
【請求項２】
ケースの左右の側板部の中央下端から上部に向けて円柱状の被係止部が嵌合できる逆Ｕ字状の凹部を設けた請求項１に記載の保護板係止部材。
【請求項３】
保護板の両端側に請求項１又は２に記載の保護板係止部材を設けた保護板係止構造。
【発明の詳細な説明】
【技術分野】
【０００１】
本発明は、分電盤、配電盤等の盤類に組み込まれた電気機器や配線を覆い、充電部に触れることを防止するための保護板を係止する保護板係止部材及び保護板係止構造に関するものである。
【背景技術】
【０００２】
分電盤、配電盤等の盤類には充電部に直接触れることのないように保護板が設けられており、内部の点検、修理のときに限り作業者が保護板を開いたりあるいは取り外したりして作業している。こうした保護板は保護板係止部材により係止されており、保護板係止部材には、簡単な操作により係脱ができるものであることと、係止した状態では確実に係止できることが求められる。こうした要請を満足し、保護板を確実に固定するとともに開閉がワンタッチでできるものとして、例えば特許文献１に記載されるようなものが提案されている。
【０００３】
この特許文献１に開示されているものは、基台に係止する本体と、本体を保護板に取り付けるベース部と、基台に当接する可動バネとで構成されたものである。このものでは本体の一端にレバーが、他端にフック部が設けられており、フック部が可動バネの弾発力により基台に設けられた支承具に係止されることにより係止状態が保たれる。レバーを上げればフック部が支承部から外れて可動バネの復帰力により保護板が基台から離れるので、レバーあるいは保護板の端面をつかんで開閉することができるものである。
【０００４】
ところが、これは可動バネより保護板を基台から少し開くものであるが、該可動バネはレバーをフック部の係止方向である伏倒側に付勢しているので一度レバーから手指を離せばレバーは略伏倒状態に近い姿勢をとるため再度レバーをつかんで開閉することが困難で、保護板の端面をつかんで開閉することになり、保護板端面の折り曲げ部や保護板裏面の配線で手が擦れる虞があった。
【特許文献１】特開２００２−２１８６２７号公報
【発明の開示】
【発明が解決しようとする課題】
【０００５】
本発明は上記の問題点を解決し、レバーを引き上げることにより保護板を少し開いた状態とすることができ、レバーがその状態で保持される操作の簡単な保護板係止部材及び保護板係止構造を提供するためになされたものである。
【課題を解決するための手段】
【０００６】
上記の課題を解決するために完成された本発明の保護板係止部材は、被係止部に係止するフック部及び該フック部の係脱を操作するレバー部を備える係止部材主体をケース内に回動自在に支承させた保護板係止部材であって、レバー部を引き上げたとき係止部材主体を逆回動させてフック部の被係止部への係止を解除してレバー部が引き上げられた状態を保持する保持機構部を設け、さらに、レバー部が引き上げられた状態で被係止部を押圧して保護板係止部材を取り付けた保護板を開くとともに、該保護板を閉じたときに被係止部に当接して保護板係止部材を回動させて保持機構部の保持を解除させる当接部を係止部材主体に設けたことを特徴とするものである。また、ケースの左右の側板部の中央下端から上部に向けて円柱状の被係止部が嵌合できる逆Ｕ字状の凹部を設けることが好ましい。さらに、このような保護板係止部材を保護板の両端側に設けて保護板係止構造とする。
【発明の効果】
【０００７】
本発明の保護板係止部材は、レバー部を引き上げたときにレバー部が引き上げられた状態で係止部材主体を保持する保持機構部が設けてあるとともに、レバー部が引き上げられた状態で被係止部を押圧して保護板係止部材を取り付けた保護板を開く当接部を係止部材主体に設けたものであるから、レバー部は引き上げられた状態で保持されるとともに保護板は少し開き、これにより、保護板係止部材が複数ある場合にも順次レバー部を引き上げればレバー部はその状態で保持され、同時に操作する必要がない。また、保護板は保持されているレバー部をつかんで開閉することができ、保護板の端面をつかむ必要がないので保護板端面の折り曲げ部や保護板裏面の配線で手が擦れる虞がない。
【０００８】
また、前記当接部は該保護板を閉じたときに被係止部に当接して係止部材本体を回動させて保持機構部の保持を解除させるものであるから、保護板を閉じるときにはフック部が被係止部に係止することになる。これにより、保護板を閉じるときには単純に保護板を閉じる操作のみで係止されることになる。さらに、フック部が被係止部に係止されていない状態ではレバー部が引き上げられた状態となっているので、係止状態でないことが容易に視認できる利点もある。前記のように、保護板を開くとき、閉じるときいずれの場合にもその操作は極めて簡単で作業性に優れたものである。
【０００９】
また、ケースの左右の側板部の中央下端から上部に向けて円柱状の被係止部が嵌合できる逆Ｕ字状の凹部を設けたものとすることにより、フック部が係止状態をとる場合に逆Ｕ字状の凹部とフック部が円柱状の被係止部を囲装して蝶番としての機能を併せ持つものとなるので、保護板の両端側に取り付けることにより保護板を左右どちらかでも開くことができるうえ、保護板を取り外すことができる。したがって、設置場所と点検、修理等の作業内容により開く方向を選択することができ、あるいは着脱できるので、狭い場所での点検、修理等の作業が容易となる利点がある。さらに、前記ような保護板係止部材を保護板の両端側に設けた保護板係止構造は、保護板を左右どちらかでも開くことができるうえ、保護板を取り外すこともができる。
【発明を実施するための最良の形態】
【００１０】
次に、本発明の実施形態を図を参照して説明する。
１はポリプロピレン、ポリエチレン等のプラスチック材よりなるケースであり、該ケース１は四角枠状のケース本体１１の上端周縁にフランジ部１２を張設したものである。２は前記ケース１内に軸部３を中心に前後方向に回動自在に支承させて組み込んだ係止部材本体であり、該係止部材本体２は軸部３を起点に上方にレバー部２１を、下方に前方を開口させた横Ｕ字型凹部状のフック部２２を形成したものであり、レバー部２１が伏倒状態のときにフック部２２が分電盤等に取り付けた被係止部４への係止を行い、レバー部２１を引き上げたときにフック部２２が被係止部４への係止を解除するものである。
【００１１】
また、前記係止部材主体２の側面と前記ケース本体１１の内面との間にフック部２２の被係止部４への係止を解除するレバー部２１の引き上げ状態を保持する保持機構部５が設けられている。この保持機構部５は前記係止部材主体１の側面とこれと対向する前記ケース本体１１の内面との間に間隙を設けて、係止部材主体２の側面に係止突起５ａをケース本体１１の内面に案内面付の山形状突起５ｂを設けて形成したもので、レバー部２１を強く引き上げることにより係止突起５ａが山形状突起５ｂを乗り越えたうえ該山形状突起５ｂに係止するものである。
【００１２】
また、前記係止部材主体２すなわちフック部２２の開口の上方にはレバー部２１を引き上げてフック部２２の被係止部４への係止を解除した際に該被係止部に当接して、該被係止部４を押圧して、この保護板係止部材すなわちこれを取り付けている保護板６を引き上げて該保護板６を開く当接部２２ａが設けてある。
【００１３】
なお、前記ケース１は図２に示すように左右に分割できる断面コ字状の左枠体部１ａと右枠体部１ｂにより構成されており、分割された左半前板部１３ａと右半前板部１３ｂ及び左半後板部１４ａと右半後板部１４ｂをフランジ部１２の下方位置において一方すなわち左半前板部１３ａ、左半後板部１４ａに設けた係止爪１５ａを他方すなわち右半前板部１３ｂ、右半後板部１４ｂに設けた係止凹部１５ｂに係止して一体としたものである。
【００１４】
また、前記係止部材本体２の軸部３は該フック部本体２の側面に２段に突設した先端軸部３ａと基端のスペーサ部３ｂよりなるものであり、先端軸部３ａをケース１の左右の側板部１６、１７に透設した軸孔３１に軸支してスペーサ部３ｂの端面を軸孔３１の周縁内面に当接させて係止部材主体２の側面とこれと対向する前記ケース本体１１の内面すなわち左右の側板部１６、１７との間に間隙を設けたものとしている。
【００１５】
また、左右の側板部１６、１７には中央下端から上部に向けて逆Ｕ字状の凹部１６ａ、１７ａが設けてある。これにより被係止部４が円柱状の場合に該被係止部４が前記逆Ｕ字状の凹部１６ａ、１７ａに嵌合された状態でフック部２２に係止されるので、逆Ｕ字状の凹部１６ａ、１７ａとフック部２２が円柱状の被係止部４を囲装して蝶番としての機能を併せ持つものとなる。また、左右の側板部１６、１７には保護板６に透設した取付孔６ａにケース本体１１を嵌合した状態でフランジ部１２との間でケース１を固定する係止爪１８が設けてある。
【００１６】
なお、図中７は係止部材主体２をレバー部２１が倒された姿勢に付勢するばねである。８はフランジ部１２に位置するレバー部２１の箇所にスライド自在に組み込まれてフランジ部１２の内側面に設けた係止孔１２ａに係止させることによりレバー部２１をロックするロック部材、９、９は封印用の部材を装着するためにレバー部２１とフランジ部１２に設けた透孔である。また、被係止部４は支持脚４１の先端部に設けた二股状の支持枠部４２、４２間に梁渡した円柱状のものとされている。
【００１７】
このように構成した保護板係止部材は、保護板６に透設した取付孔６ａにケース１のケース本体１１を嵌合することにより、フランジ部１２と係止爪１８との間に保護板６を挟んだ状態で取り付けられる。図３は保護板６の一方の端部にこの保護板係止部材を取り付け他方の端部を蝶番１００により分電盤に蝶着した状態を示すもので、図４に示すように分電盤に設けた被係止部４にフック部２２が係止された状態でレバー部２１が伏倒状態となっている。この状態からレバー部２１を引き上げると、係止部材主体２１は軸部３を中心として逆回動して、図５に示すようにフック部２２が被係止部４から離脱するとともに係止部材主体１すなわち該フック部２２の開口の上方に設けた当接部２２ａが被係止部４に当接したうえ該被係止部４を押圧する反作用によりこの保護板係止部材を取り付けている保護板６を押し上げて２点鎖線に示す保護板６の位置から開くこととなる。
【００１８】
この場合に係止部材主体２の側面とケース本体１１の内面との間にフック部２２の被係止部４への係止を解除するレバー部２１の引き上げ状態を保持する保持機構部５が設けられているので、レバー部２１は確実に引き上げ状態を保持することとなる。この保持機構部５は前記係止部材主体２の側面とこれと対向する前記ケース本体１１の内面との間に間隙を設けて、係止部材主体１の側面に係止突起５ａをケース本体１１の内面に案内面付の山形状突起５ｂを設けて形成したもので、レバー部２１を強く引き上げることによりケース１がプラスチック材よりなるものであるからその材質のもつ弾力により係止突起５ａが山形状突起５ｂを乗り越えたうえ該山形状突起５ｂに係止するものである。
【００１９】
また、ケース１を左右に分割できる断面コ字状の左枠体部１ａと右枠体部１ｂにより構成して、分割された左半前板部１３ａと右半前板部１３ｂ及び左半後板部１４ａと右半後板部１４ｂをフランジ部１２の下方位置において一方すなわち左半前板部１３ａ、左半後板部１４ａに設けた係止爪１５ａを他方すなわち右半前板部１３ｂ、右半後板部１４ｂに設けた係止凹部１５ｂを係止して一体なものとすることにより、ケース本体１１の内面に設けた山形状突起５ｂを係止突起５ａが乗り越える際に左枠体部１ａと右枠体部１ｂの左半前板部１３ａと右半前板部１３ｂ及び左半後板部１４ａと右半後板部１４ｂの突合せ面である下方は左右に若干広がるので係止が容易なものとなる。
【００２０】
このように、レバー部２１は引き上げ状態を保持して、これに伴いフック部２２も解除状態も維持するので、レバー部２１をつかんで保護板６を開くことができる。この場合に保護板６が大きなサイズで保護板係止部材を複数個取り付けたものにおいても各保護板係止部材のレバー部２１を順次引き上げればその状態で保持されるので同時にレバー部２１を操作する必要がない。これによりレバー部２１をつかんで保護板６を開くことができ、保護板６の端面をつかむ必要がないので保護板端面の折り曲げ部や保護板裏面の配線で手が擦れるという虞がない。また、フック部２２が被係止部４に係止されていない解除状態では保持機構部５によりレバー部２１が引き上げられた状態を確実に保持されているので、係止状態でないことが容易に視認で保護板６の閉じ忘れを確実に防止できるものである。
【００２１】
また、保護板６を閉じる場合には、レバー部２１を操作することなく保護板６を押すだけで、係止部材主体２すなわちフック部２２の開口の上方に設けた当接部２２ａが被係止部４に当接して係止部材本体２を回動させて保持機構部５の保持を解除させてフック部２２が被係止部４に係止することになるので、レバー部２１を操作することなくフック部２２を被係止部４に係止することができるものである。この場合に図示のように係止部材主体２をレバー部２１が倒された姿勢に付勢するばね７が組み込んでいれば、レバー部２１が引き上げられことなく、確実にフック部２２が被係止部４に係止することとなる。
【００２２】
また、ケース１の左右の側板部１６、１７は前半部下方に被係止部４が介入できる蝶番機能をもつ構成とすれば被係止部４は、柱状、板状のものでもよいが、図示のように左右の側板部１６、１７の前後中央に下端から上部に向けて逆Ｕ字状の凹部１６ａ、１７ａを設け、被係止部４ｗ円柱状にしておけば該被係止部４が前記逆Ｕ字状の凹部１６ａ、１７ａに嵌合された状態でフック部２２に係止されるので、逆Ｕ字状の凹部１６ａ、１７ａとフック部２２が円柱状の被係止部４を囲装して蝶番として適したものとなる。そして、図６に示すように保護板６の両端側に取り付けることにより、図７、８に示すように保護板６を左右どちらかでも開くことができるうえ、図９に示すように保護板６を取り外すことができる。
【図面の簡単な説明】
【００２３】
【図１】本発明の実施形態を示す斜視図である。
【図２】本発明の実施形態の要部を分解して示す斜視図である。
【図３】本発明の保護板係止部材を取り付けた保護板を装着した分電盤の概略側面図である。
【図４】レバー部を伏倒状態として右枠体部を省略して示す側面図である。
【図５】レバー部を引き上げた状態として右枠体部を省略して示す側面図である。
【図６】本発明の保護板係止部材を保護板の両端側に取り付けた状態を示す概略側面図である。
【図７】図６の保護板を一方の側から開いた状態を示す概略側面図である。
【図８】図６の保護板を他方の側から開いた状態を示す概略側面図である。
【図９】図６の保護板を取り外した状態を示す概略側面図である。
【符号の説明】
【００２４】
１  ケース
16  側板部
17  側板部
16a  凹部
17a  凹部
２  係止部材主体
21  レバー部
22  フック部
22a  当接部
４  被係止部
５  保持機構部
【図１】
2005183809.tif 000003
【図２】
2005183809.tif 000004
【図３】
2005183809.tif 000005
【図４】
2005183809.tif 000006
【図５】
2005183809.tif 000007
【図６】
2005183809.tif 000008
【図７】
2005183809.tif 000009
【図８】
2005183809.tif 000010
【図９】
2005183809.tif 000011